(57)【要約】【課題】アンテナモジュールと金属筐体との距離を確保することができるとともに、少ない部品点数で組立作業工数が少なくて済む情報処理装置を実現する。【解決手段】アンテナモジュール１１の実装面１２ａ及び１２ｂが金属筐体２４の底面２４ｃに対して略直交するようにアンテナモジュール１１を背面パネル２２に直立姿勢で配置したことにより、アンテナモジュール１１をＬＣＤモジュール２３及び金属筐体２４から遠ざけて配置することができるので、アンテナモジュール１１における送受信特性を安定させることができる。また、グランド端子１２ｃを接地するために金属ビスなどを必要としないため、部品点数を削減することができコストダウンを図ることができる。また、組立時の作業工数を削減することができる。【選択図】図３
2010093501.tif 000002
【特許請求の範囲】
【請求項１】
映像を表示可能なディスプレイパネルと、
前記ディスプレイパネルを内包する筐体と、
前記筐体に保持され、無線信号を送受信可能なアンテナ回路が実装されたアンテナ基板とを備え、
前記アンテナ基板は、前記ディスプレイパネルの表示面に対して略直交する姿勢で、かつ前記ディスプレイパネルの端面に対して空隙を挟み、前記側面側における前記筐体の側壁に沿って対向し保持されている、情報処理装置。
【請求項２】
前記アンテナ基板は、前記側壁に対向し、前記筐体の内部に形成された複数の突起部により挟持されている、請求項１記載の情報処理装置。
【請求項３】
前記筐体は、少なくとも一部が導電材料で形成され、
前記アンテナ基板は、前記アンテナ回路を接地するためのグランド端子を備え、
前記グランド端子は、前記筐体における導電材料で形成された部位に当接している、請求項１または２記載の情報処理装置。
【発明の詳細な説明】
【技術分野】
【０００１】
本発明は、小型のプリント基板上にアンテナ回路が実装されたアンテナ基板を含むアンテナモジュールを任意の位置に保持することができる情報処理装置に関する。
【背景技術】
【０００２】
近年、ノートパソコンは携帯性を向上させるために小型化が進んでいる。また、ノートパソコンは、無線ＬＡＮなどの無線通信を行うための通信回路やアンテナモジュールを備えている機種も増えてきている。このようなアンテナモジュールは、無線通信の電波の送受信を安定させるために、ノートパソコンにおける液晶ディスプレイ側筐体内に配されていることが多い。アンテナモジュールを液晶ディスプレイ側筐体に配することで、液晶ディスプレイ側筐体を本体側筐体（キーボードやＣＰＵなどを備えた筐体）に対して開いた状態にした時に、アンテナモジュールをできるだけ高い位置に配置することができるため、電波の送受信を安定させることができる（例えば特許文献１参照）。
【０００３】
また、従来のノートパソコンでは、アンテナモジュールの筐体への保持を金属製のビスで行っていた（例えば特許文献２参照）。
【特許文献１】特開２００３−３０９４９９号公報
【特許文献２】特開２００５−１５０８０５号公報
【発明の開示】
【発明が解決しようとする課題】
【０００４】
近年のノートパソコンは、堅牢性を高めるために、筐体をマグネシウムなどの金属で形成したものがある。特許文献１に開示されたノートパソコンの外郭を金属筐体で覆った場合、アンテナモジュールを電磁的にシールドしてしまうことになり、無線による通信が不安定になるという問題が生じる。このような問題を解消するために、アンテナモジュールと金属筐体とをできるだけ遠ざける必要があるが、小型化が進むノートパソコンにおいては困難であった。
【０００５】
また、特許文献２に開示されたようなアンテナモジュールを筐体にビスで固定する構成では、部品点数が多くなるとともに、ノートパソコンの組立時の作業工数が増えるという問題があった。
【０００６】
本発明は、アンテナモジュールと金属筐体との距離を確保することができるとともに、少ない部品点数で組立作業工数が少なくて済む情報処理装置を実現することを目的とする。
【課題を解決するための手段】
【０００７】
本発明の情報処理装置は、映像を表示可能なディスプレイパネルと、前記ディスプレイパネルを内包する筐体と、前記筐体に保持され、無線信号を送受信可能なアンテナ回路が実装されたアンテナ基板とを備え、前記アンテナ基板は、前記ディスプレイパネルの表示面に対して略直交する姿勢で、かつ前記ディスプレイパネルの端面に対して空隙を挟み、前記側面側における前記筐体の側壁に沿って対向し保持されているものである。
【発明の効果】
【０００８】
本発明によれば、アンテナモジュールと金属筐体との間に空隙を形成することができ、アンテナの送受信特性を安定させることができる。
【発明を実施するための最良の形態】
【０００９】
本発明の情報処理装置は、上記構成を基本として以下のような態様をとることができる。すなわち、本発明の情報処理装置において、前記アンテナ基板は、前記側壁に対向し、前記筐体の内部に形成された複数の突起部により挟持されている構成とすることができる。このような構成とすることにより、ビスを用いずにアンテナモジュールを筐体に保持させることができるので、部品点数を削減することができるとともに、組立時の作業工数を削減することができる。
【００１０】
また、本発明の情報処理装置において、前記筐体は、少なくとも一部が導電材料で形成され、前記アンテナ基板は、前記アンテナ回路を接地するためのグランド端子を備え、前記グランド端子は、前記筐体における導電材料で形成された部位に当接している構成とすることができる。このような構成とすることにより、ビスを用いずにアンテナモジュールを筐体に接地させることができるので、部品点数を削減することができるとともに、組立時の作業工数を削減することができる。
【００１１】
（実施の形態）
図１は、本実施の形態の情報処理装置の一例であるノートパソコンの外観を示す斜視図である。なお、本実施の形態では、情報処理装置の一例としてノートパソコンを挙げたが、携帯電話端末や携帯型ゲーム機などのように、少なくとも無線通信が可能なアンテナモジュールを内蔵した情報処理装置であればよい。
【００１２】
図１に示すように、ノートパソコンは、各種電気素子が実装された回路基板及び情報処理回路やハードディスクドライブなどを内蔵した第１の筐体１と、液晶ディスプレイ２ａを備えた第２の筐体２とから構成されている。第１の筐体１と第２の筐体２とは、ヒンジ部３に内蔵されたヒンジ機構によって互いに回動自在に支持されている。第２の筐体２を、図１に示す位置（第１の状態）から矢印Ａに示す方向へ回動させることで、液晶ディスプレイ２ａとキーボード５とが近接対向した第２の状態へ移行させることができる。また、第２の状態において第２の筐体と対向する第１の筐体の面を上側とすると、第１の筐体１の上面１ａには、各種文字の入力操作が可能なキーボード５と、液晶ディスプレイ２ａに表示されるカーソルを所望の位置へ移動する操作が可能なポインティングデバイス６とを備えている。なお、キーボード５やハードディスクドライブなどから入出力された情報信号は、情報処理回路で所定の処理を施し、例えば液晶ディスプレイ２ａで表示する表示信号などに変換される。
【００１３】
図２は、第２の筐体２の分解斜視図である。なお、図２において、本実施の形態における説明が不要な構成については図示を省略している。図２に示すように、第２の筐体２は、前面パネル２１、背面パネル２２、液晶ディスプレイモジュール（以下ＬＣＤモジュールと称する）２３を備えている。第２の筐体２は、前面パネル２１と背面パネル２２とでＬＣＤモジュール２３を内包して構成されている。
【００１４】
前面パネル２１は、ＬＣＤモジュール２３における表示面２３ａに表示された画像を、第２の筐体２の外部から目視可能にするための開口部２１ａが形成されている。また、前面パネル２１は、樹脂または金属で形成することができるが、本実施の形態ではアンテナモジュール１１における電波の送受信特性と機械的強度とを向上させるために、ガラス繊維を含有したポリカーポネート樹脂とＡＳＡ（アクリロニトリルスチレンアクリレート）樹脂との複合樹脂で形成した。
【００１５】
背面パネル２２は、マグネシウムなどの導電材料で形成された金属筐体２４と、金属筐体２４の端部（少なくともアンテナ保持部近傍）に固定された樹脂筐体２５とで構成されている。樹脂筐体２５は、本実施の形態ではアンテナモジュール１１における電波の送受信特性と機械的強度とを向上させるために、ガラス繊維を含有したポリカーポネート樹脂とＡＳＡ（アクリロニトリルスチレンアクリレート）樹脂との複合樹脂で形成した。また、背面パネル２２は、アンテナモジュール１１を保持可能なアンテナ保持部２２ａを備えている。アンテナ保持部２２ａは、金属筐体２４の端部の一部を凹状に形成することによって樹脂筐体２５との間にできた空間に配されている。なお、アンテナ保持部２２ａの詳しい構成は後述する。また、背面パネル２２は、ＬＣＤモジュール２３を配置するための凹状の空間２４ａを有する。
【００１６】
ＬＣＤモジュール２３は、内部に液晶を封止した２枚のガラス基板を張り合わせた液晶パネル、液晶パネルに電圧を印加するインバータ回路、インバータ回路への配線ケーブルなどがモジュール化されて構成されている（図示は簡略化）。
【００１７】
図３は、背面パネル２２におけるアンテナ保持部２２ａ近傍の要部斜視図であり、アンテナ保持部２２ａにアンテナモジュール１１が装着されている状態を示している。なお、図３におけるアンテナ保持部２２ａ近傍の構成を明確に図示するために、金属筐体２４の一部を切り欠いて図示した。また、図４は、図３に示すアンテナ保持部２２ａの水平断面図である。
【００１８】
図３及び図４に示すように、アンテナモジュール１１は、樹脂製の基板１２の一方の面または両面に、電波を送受信可能なアンテナ回路（不図示）が実装されている。また、基板１２の一方の実装面１２ａの端部近傍には、グランド端子１２ｃが形成されている。また、基板１２の他方の実装面１２ｂには、第１の筐体１内に配された電気回路基板に電気的に接続されたケーブル１３が接続されている。アンテナモジュール１１で受信した受信信号は、ケーブル１３を介して電気回路基板へ送られる。また、電気回路基板から送られる送信信号は、ケーブル１３を介してアンテナモジュール１１へ送られる。
【００１９】
アンテナ保持部２２ａは、金属筐体２４の底面２４ｃに対して略直交する方向に立設形成された壁部２４ｂと、樹脂筐体２５の内面２５ｂ（底面２４ｃに対して略直交する面）に突出形成された突起部２５ａと、樹脂筐体２５の底面２５ｃ（底面２４ｃに対して略平行な面）に突出形成されたリブ１４及び１５とから構成されている。壁部２４ｂ及び突起部２５ａとリブ１４及び１５との間には、アンテナモジュール１１の基板１２を挟持可能な空隙を有する。図３に示すように、アンテナ保持部２２ａがアンテナモジュール１１を保持している状態では、基板１２の一方の実装面１２ａに壁部２４ｂ及び突起部２５ａが当接し、実装面１２ａの裏面である実装面１２ｂにリブ１４及び１５が当接している。これにより、アンテナモジュール１１を、その実装面１２ａ及び１２ｂが金属基板２４の底面２４ｃに対して略直交する直立姿勢で保持することができる。
【００２０】
本実施の形態では、図４に示すように、リブ１４及び１５とＬＣＤモジュール２３との間に空隙を形成しているので、アンテナモジュール１１とＬＣＤモジュール２３との間に寸法ｗ１の空隙を形成することができる。よって、アンテナモジュール１１の送受信特性を安定させることができる。また、実装面１２ａは、樹脂筐体２５に対向しているため、アンテナモジュール１１の送受信特性を安定させることができる。また、実装面１２ｂには金属筐体２４が対向しているが、実装面１２ｂと金属筐体２４との間の空隙（寸法ｗ１）を大きく確保しているため、アンテナモジュール１１の送受信特性を安定させることができる。
【００２１】
なお、本実施の形態では、空隙の寸法ｗ１は１０ｍｍとした。本発明者らは、空隙の寸法ｗ１を１０ｍｍ以上とすることで、良好なアンテナモジュール１１の送受信特性を得ることができることを、実験により確認している。空隙の寸法ｗ１を１０ｍｍとすることで、第２の筐体２を大型化せずに、アンテナモジュール１１の送受信特性を安定させることができる。
【００２２】
また、図４に示すように、基板１２の実装面１２ａに形成されたグランド端子１２ｃは、金属筐体２４の一部である壁部２４ｂに対し当接部２４ｄで当接している。これにより、アンテナモジュール１１のアンテナ回路を、グランド端子１２ｃ及び壁部２４ｂを介して金属筐体２４に接地することができる。このグランド端子１２ｃと壁部２４ｂとは、リブ１４及び１５による基板１２に対する矢印Ｂに示す方向への付勢力によって当接状態が保持されているため、アンテナ回路を接地させるために金属ビスなどの固定手段を必要としない。
【００２３】
なお、壁部２４ｂ及び突起部２５ａとリブ１４及び１５との空隙の寸法ｗ２は、基板１２の厚さと同等とすることで、アンテナ保持部２２ａにアンテナモジュール１１を保持することができるが、寸法ｗ２を基板１２の厚さよりも小さくすることにより、アンテナ保持部２２ａにおけるアンテナモジュール１１の保持力を向上させることができる。すなわち、寸法ｗ２を基板１２の厚さよりも小さくすることにより、アンテナ保持部２２ａにアンテナモジュール１１を保持させた際にリブ１４及び１５が矢印Ｃに示す方向へ撓み、その時に矢印Ｂに示す方向へ生じる付勢力によってアンテナモジュール１１を強く挟持することができる。これにより、ノートパソコンに振動や衝撃が加わったとしても、容易にアンテナモジュール１１がアンテナ保持部２２ａから離脱するのを防ぐことができる。また、グランド端子１２ｃの接地も確実なものとすることができる。
【００２４】
以上のように本実施の形態によれば、アンテナモジュール１１の実装面１２ａ及び１２ｂが金属筐体２４の底面２４ｃに対して略直交するようにアンテナモジュール１１を背面パネル２２に直立姿勢で配置したことにより、アンテナモジュール１１をＬＣＤモジュール２３及び金属筐体２４から遠ざけて配置することができるので、アンテナモジュール１１における送受信特性を安定させることができる。
【００２５】
また、アンテナ保持部２２ａは、壁部２４ｂ、突起部２５ａ、リブ１４及び１５でアンテナモジュール１１の基板１２を挟持する構成としたので、アンテナモジュール１１を背面パネル２２に保持する際にビスを必要としないため、部品点数を削減することができコストダウンを図ることができる。また、組立時の作業工数を削減することができる。
【００２６】
また、グランド端子１２ｃを接地するために金属ビスなどを必要としないため、部品点数を削減することができコストダウンを図ることができる。また、組立時の作業工数を削減することができる。
【００２７】
なお、本実施の形態においてアンテナ保持部２２ａは、図４に示すような構成としたが、図５に示すような構成としてもよい。すなわち、図５に示す構成は、リブ１４とリブ１５との間の領域に突起部２５ａを配置したものである。このような構成としたことにより、基板１２のグランド端子１２ｃ近傍を矢印Ｂに示す方向へ付勢させることができ、グランド端子１２ｃと壁部２４ｂとの接圧を高くすることができる。よって、アンテナ回路の接地をより確実なものとすることができる。
【００２８】
また、図４および図５におけるリブ１５は、グランド端子１２ｃから離隔した位置に設けたが、当接部２４ｄでグランド端子１２ｃと壁部２４ｂとが当接する位置に備えても良く、さらに図４または図５における当接部２４ｄに金属製の板バネ等で圧着付勢する構成であっても良い。
【００２９】
なお、上述の実施の形態では、前面パネル２１および背面パネル２４における樹脂筐体２５にポリカーボネート樹脂とＡＳＡ樹脂との複合樹脂にガラス繊維を含有させた材料を適用したが、これに限定されるものではない。特に樹脂筐体２５に適用する材料としては、例えばポリカーボネート樹脂、ＡＳＡ樹脂、アクリロニトリル・スチレン樹脂等の可撓性を有する樹脂材料であれば単一であっても適用することができる。また樹脂材料の強化材としては、ガラス繊維以外でも例えば二酸化珪素等の電磁シールド性を備えない材料であれば何れであっても良い。
【００３０】
また、本実施の形態では、アンテナモジュール１１を背面パネル２２に形成されたアンテナ保持部２２ａに保持させる構成としたが、アンテナ保持部２２ａと同様の構成を前面パネル２１に形成する構成とすることで、本実施の形態と同様の効果を得ることができる。
【００３１】
また、本実施の形態におけるＬＣＤモジュールは、本発明におけるディスプレイパネルの一例である。また、本実施の形態における第２の筐体２または背面パネル２２は、本発明における筐体の一例である。また、本実施の形態における基板１２は、本発明におけるアンテナ基板の一例である。
【産業上の利用可能性】
【００３２】
本発明のアンテナ保持装置は、アンテナモジュールを内蔵したノートパソコンなどの情報処理装置に有用である。
【図面の簡単な説明】
【００３３】
【図１】本実施の形態における情報処理装置の外観を示す斜視図
【図２】第２の筐体の分解斜視図
【図３】アンテナ保持部の要部斜視図
【図４】アンテナ保持部の要部断面図
【図５】アンテナ保持部の他の構成例を示す要部断面図
【符号の説明】
【００３４】
２  第２の筐体
１１  アンテナモジュール
２１  前面パネル
２２  背面パネル
２２ａ  アンテナ保持部
２３  液晶ディスプレイモジュール
【図１】
2010093501.tif 000003
【図２】
2010093501.tif 000004
【図３】
2010093501.tif 000005
【図４】
2010093501.tif 000006
【図５】
2010093501.tif 000007